(57)【要約】【課題】簡単な回路構成で高品質な受信を行えるダイバーシティ受信機を提供する。【解決手段】制御部１６により、２つのアンテナ接続端子１ａ，１ｂから入力して得られる高周波増幅回路１３の出力信号の強度を時間Ｔ１おきに比較し、信号の強度が大きい方のアンテナ入力端子１ａ，１ｂから入力される信号を電子スイッチ１２によって切り替えて高周波増幅回路１３に入力すると共に、電子スイッチ１２を切り替えた後に、高周波増幅回路１３の増幅度を変化させ、高周波増幅回路１３の出力信号の強度が一定値になるように制御する。【選択図】  図１
2004336304.tif 000002
【特許請求の範囲】
【請求項１】
２つ以上のアンテナ接続端子を有し、各アンテナ接続端子から入力された信号の強度を所定時間おきに比較し、該比較結果に基づいて前記信号の強度が最大となるアンテナ入力端子から入力される信号を選択して受信を行うダイバーシティ受信機において、
制御信号に基づいて増幅度を変化させ、入力信号を増幅して出力する増幅回路と、
前記増幅回路の出力信号の強度に基づいて、該強度が一番高い値になるように所定時間おきに前記アンテナ接続端子のうちの１つから入力される信号を選択して前記増幅回路に入力する選択手段と、
前記増幅回路の出力信号を整流し、該整流した信号の強度が一定値になるように前記制御信号を生成すると共に、前記選択手段による選択が行われた後に前記増幅回路に出力している制御信号を更新する制御手段と、
前記増幅回路の出力信号を検波して信号を得る受信回路とを備えている
ことを特徴とするダイバーシティ受信機。
【請求項２】
前記選択手段は、前記増幅回路の入力端子と、前記アンテナ接続端子との間に介在された電子切り替え器を含む
ことを特徴とする請求項１に記載のダイバーシティ受信機。
【請求項３】
各アンテナ接続端子毎に前記アンテナ接続端子と前記電子切り替え器との間に第２増幅回路が介在して設けられている
ことを特徴とする請求項２に記載のダイバーシティ受信機。
【発明の詳細な説明】
【０００１】
【発明の属する技術分野】
本発明は、ダイバーシティ受信機に関するものである。
【０００２】
【従来の技術】
従来、フェージング等による受信状態の劣化を低減するための受信機としてダイバーシティ受信機が知られている。このようなダイバーシティ受信機の基本構成は、２つ以上のアンテナ接続端子を備え、これらのアンテナ接続端子に接続された２つ以上のアンテナのうちで一番強い信号を得られるアンテナを自動的に選択して信号を受信するというものである。
【０００３】
また、基本的なダイバーシティ受信機に改良を加えてさらに受信性能を向上させたダイバーシティ受信として、特開２０００−２９５１５０号公報、特開２０００−２９５１５１号公報、特開２００１−２８５１５６号公報、特開２００２−１０１０２８号公報、特開２００３−０５１７６８号公報等に開示されたダイバーシティ受信機が知られている。
【０００４】
【特許文献１】
特開２０００−２９５１５０号公報
【特許文献２】
特開２０００−２９５１５１号公報
【特許文献３】
特開２００１−２８５１５６号公報
【特許文献４】
特開２００２−１０１０２８号公報
【特許文献５】
特開２００３−０５１７６８号公報
【０００５】
【発明が解決しようとする課題】
しかしながら、従来のダイバーシティ受信機においては、一番強い信号を得られるアンテナに切り替えても、これによって得られる信号の強度は常に変化しているので、受信回路の機能を向上させなければならず、受信回路が複雑になると共にコスト高になるという問題点があった。
【０００６】
本発明の目的は上記の問題点に鑑み、簡単な回路構成で高品質な受信を行えるダイバーシティ受信機を提供することである。
【０００７】
【課題を解決するための手段】
本発明は上記の目的を達成するために、２つ以上のアンテナ接続端子を有し、各アンテナ接続端子から入力された信号の強度を所定時間おきに比較し、該比較結果に基づいて前記信号の強度が最大となるアンテナ入力端子から入力される信号を選択して受信を行うダイバーシティ受信機において、制御信号に基づいて増幅度を変化させ、入力信号を増幅して出力する増幅回路と、前記増幅回路の出力信号の強度に基づいて、該強度が一番高い値になるように所定時間おきに前記アンテナ接続端子のうちの１つから入力される信号を選択して前記増幅回路に入力する選択手段と、前記増幅回路の出力信号を整流し、該整流した信号の強度が一定値になるように前記制御信号を生成すると共に、前記選択手段による選択が行われた後に前記増幅回路に出力している制御信号を更新する制御手段と、前記増幅回路の出力信号を検波して信号を得る受信回路とを備えているダイバーシティ受信機を提案する。
【０００８】
本発明によれば、制御手段によって前記増幅回路の出力信号が整流され、該整流した信号の強度が一定値になるように前記制御信号が生成されると共に、前記選択手段による選択が行われた後に前記増幅回路に出力している制御信号が更新される。さらに、前記制御信号を入力した増幅回路は、前記制御信号に基づいて増幅度を変化させ、入力信号を増幅して出力する。
【０００９】
一方、選択手段によって、前記増幅回路の出力信号の強度に基づいて、該強度が一番高い値になるように所定時間おきに前記アンテナ接続端子のうちの１つから入力される信号が選択されて前記増幅回路に入力される。
【００１０】
従って、信号強度が最大となるアンテナ端子からの信号が選択され、さらに、この信号の強弱が変化しても前記増幅回路から出力される信号の強度は一定に保たれる。
【００１１】
これにより、前記増幅回路の後段における受信回路には特別な機能を設ける必要がなく、常に安定した受信を行うことができる。
【００１２】
また、本発明は上記構成のダイバーシティ受信において、前記選択手段は、前記増幅回路の入力端子と、前記アンテナ接続端子との間に介在された電子切り替え器を含むダイバーシティ受信機を提案する。
【００１３】
本発明によれば、前記選択手段の電子切り替え器によって前記２つ以上のアンテナのうちの何れかの信号が選択されて前記増幅器に入力される。
【００１４】
また、本発明は上記構成のダイバーシティ受信において、各アンテナ接続端子毎に前記アンテナ接続端子と前記電子切り替え器との間に第２増幅回路が介在して設けられているダイバーシティ受信機を提案する。
【００１５】
本発明によれば、各アンテナ接続端子から入力された信号は増幅器によって増幅された後に電子切り替え器に入力される。
【００１６】
【発明の実施の形態】
以下、図面に基づいて本発明の一実施形態を説明する。
【００１７】
図１は本発明の第１実施形態におけるダイバーシティ受信機を示すブロック図である。図において、１はダイバーシティ受信機、２（２Ａ，２Ｂ）はアンテナである。
【００１８】
ダイバーシティ受信機１は、２つのアンテナ接続端子１ａ，１ｂと、信号切り替え部１０及び受信部２０を備えている。アンテナ接続端子１ａには第１アンテナ２Ａが接続され、アンテナ接続端子１ｂには第２アンテナ２Ｂが接続されている。尚、本実施形態では受信周波数が３１５ＭＨｚのダイバーシティ受信機を構成している。
【００１９】
信号切り替え部１０は、高周波増幅回路１１Ａ，１１Ｂと、電子スイッチ１２、高周波増幅回路１３、信号平滑回路１４、ダイオード１５、制御部１６を備えている。
【００２０】
高周波増幅回路１１Ａは、所定の増幅度を有し、その入力端子が第１アンテナ接続端子１ａに接続されると共に、出力端子が電子スイッチ１２の第１接点１２ｂに接続され、第１アンテナ接続端子１ａから入力した高周波信号Ｓｉｎ１を所定の増幅度にて増幅して出力する。
【００２１】
高周波増幅回路１１Ｂは、所定の増幅度を有し、その入力端子が第２アンテナ接続端子１ｂに接続されると共に、出力端子が電子スイッチ１２の第２接点１２ｃに接続され、第２アンテナ接続端子１ｂから入力した高周波信号Ｓｉｎ２を所定の増幅度にて増幅して出力する。
【００２２】
電子スイッチ１２は、制御部１６からの制御信号ＣＳ１に基づいて、その接片１２ａを第１接点１２ｂまたは第２接点１２ｃに接続する。
【００２３】
高周波増幅回路１３は、その入力端子が電子スイッチ１２の接片１２ａに接続され、電子スイッチ１２を介して入力した増幅回路１１Ａの出力信号または増幅回路１１Ｂの出力信号を制御部１６から入力した制御信号ＣＳ２に基づく増幅度Ｇにて増幅して出力する。
【００２４】
信号平滑回路１４は、ダイオード１４１と、抵抗器１４２、コンデンサ１４３とから構成され、ダイオード１４１のアノードは高周波増幅回路１３の出力端子に接続され、カソードは抵抗器１４２を介してコンデンサ１４３の一端に接続されている。また、コンデンサ１４３の他端は接地されている。さらに、コンデンサ１４３の一端は制御部１６の所定の入力ポートに接続され、コンデンサ１４３の端子電圧をフィードバック信号ＦＳ２として制御部１６に出力する。
【００２５】
尚、抵抗器１４２の抵抗値Ｒとコンデンサ１４３の静電容量Ｃによって決まる時定数Ｔは受信対象周波数である３１５ＭＨｚよりさらに低い周期（長い時間）となるように設定されている。尚、本実施形態では時定数Ｔを１０ｍｓに設定しているダイオード１５は、そのアノードが高周波増幅回路１３の出力端子に接続され、カソードは制御部１６の所定の入力ポートに接続され、整流した電圧をフィードバック信号ＦＳ１として制御部１６に出力する。
【００２６】
制御部１６は、周知のＣＰＵを主体として構成され、予め設定されたプログラムに基づいて動作する。また、制御部１６は、所定時間Ｔ１おきに信号監視処理を行う。この信号監視処理では、制御部１６は、電子スイッチ１２に対して切り替え制御信号ＣＳ１を出力して電子スイッチ１２切り替え、各アンテナ２Ａ，２Ｂに対応するフィードバック信号ＦＳ１の電圧値を比較し、この比較結果に基づいてフィードバック信号ＦＳ１の電圧値が大きい方のアンテナ２Ａを使用するように電子スイッチ１２を切り替える制御信号ＣＳ１を出力する。尚、本実施形態では上記信号監視処理を行う間隔の時間Ｔ１を２００ｍｓに設定している。
【００２７】
さらに、制御部１６は、上記のように電圧値が大きい方のアンテナ２Ａを使用するように電子スイッチ１２を切り替えた後に増幅度制御処理を行う。この増幅度制御処理では、制御部１６は、信号平滑回路１４から入力したフィードバック信号ＦＳ２の電圧値に基づいて、該電圧値がほぼ一定の範囲内の値になるように高周波増幅回路１３の増幅度Ｇを設定するための制御信号ＣＳ２を高周波増幅回路１３に出力する。
【００２８】
受信部２０は、高周波増幅回路１３の出力信号を入力し、例えば、音声信号を受信する場合は、一般的な受信機で行うように入力した信号を低周波信号に変換して音声出力する。尚、ディジタルデータ信号を受信する場合は、高周波増幅回路１３から入力した信号を検波すると共にディジタル信号に変換する受信部であっても良い。
【００２９】
次に、上記構成よりなる信号切り替え部１０の動作を、図２に示す制御部１６の処理フローチャートを参照して説明する。
【００３０】
制御部１６は、動作を開始すると、前述した信号監視処理を行う。この信号監視処理では電子スイッチ１２に対して切り替え制御信号ＣＳ１を出力して電子スイッチ１２切り替え、各アンテナ２Ａ，２Ｂに対応するフィードバック信号ＦＳ１の電圧値を比較し、この比較結果に基づいてフィードバック信号ＦＳ１の電圧値が大きい方のアンテナ２Ａを使用するように電子スイッチ１２を切り替える制御信号ＣＳ１を出力する（Ｓｔｅｐ１）。
【００３１】
次いで、制御部１６は、前述した増幅度制御処理を行う。この増幅度制御処理では、制御部１６は、信号平滑回路１４から入力したフィードバック信号ＦＳ２の電圧値に基づいて、該電圧値がほぼ一定の範囲内の値になるように高周波増幅回路１３の増幅度Ｇを設定するための制御信号ＣＳ２を高周波増幅回路１３に出力する（Ｓｔｅｐ２）。
【００３２】
この後制御部１６は、タイマをセットして計時を行い（Ｓｔｅｐ３）、上記時間Ｔ１が経過したか否かを判定し（Ｓｔｅｐ４）、時間Ｔ１が経過したら上記Ｓｔｅｐ１の処理に移行して上記の処理を繰り返す。
【００３３】
前述したダイバーシティ受信機１は、信号切り替え部１０によって最良の受信状態を得られるアンテナ２Ａ，２Ｂを選択すると共に、受信部２０に対して出力する信号すなわち受信部２０の入力信号の強度を一定の範囲内に保持できるので、特別な信号処理機能を受信部２０に設けることなく、常に安定した受信を行うことができる。
【００３４】
尚、上記フィードバック信号ＦＳ１に代えてフィードバック信号ＦＳ２を用いるようにしても良い。
【００３５】
また、上記実施形態の構成は本発明の一具体例にすぎず、本発明が上記実施形態の構成のみに限定されないことはいうまでもない。例えば、高周波増幅回路１１Ａ，１１Ｂを設けなくとも良い。
【００３６】
また、本実施形態では、制御部１６をプログラム（ソフトウェア）によって動作するＣＰＵを用いて構成したが、制御部１６をハードウェアのみによって構成しても良い。
【００３７】
また、上記実施形態では、高周波信号及びこれを平滑した信号をフィードバック信号ＦＳ１，ＦＳ２として用いたが、中間周波数に変換した後の信号及びこれを平滑した信号をフィードバック信号として用いても良い。
【００３８】
【発明の効果】
以上説明したように本発明のダイバーシティ受信機によれば、選択手段によって、増幅回路の出力信号の強度に基づいて、該強度が一番高い値になるように所定時間おきにアンテナ接続端子のうちの１つから入力される信号が選択されて増幅回路に入力されるので、信号強度が最大となるアンテナ端子からの信号が選択され、さらに、この信号の強弱が変化しても前記増幅回路から出力される信号の強度は一定に保たれるため、増幅回路の後段における受信回路には特別な機能を設ける必要がなく、常に安定した受信を行うことができるという非常に優れた効果を奏するものである。
【図面の簡単な説明】
【図１】本発明の第１実施形態におけるダイバーシティ受信機を示すブロック図
【図２】本発明の第１実施形態における制御部の制御処理を説明するフローチャート
【符号の説明】
１…ダイバーシティ受信機、２Ａ，２Ｂ…アンテナ、１０…信号切り替え部、１１Ａ，１１Ｂ…高周波増幅回路、１２…電子スイッチ、１３…高周波増幅回路、１４…信号平滑回路、１５…ダイオード、１６…制御部、２０…受信部。
【図１】
2004336304.tif 000003
【図２】
2004336304.tif 000004